(57)【要約】【課題】電話番号が記録された電話帳データを管理すること。【解決手段】携帯電話１１０ａは、電話番号を参照する旨の操作がなされた場合に、当該携帯電話１１０ａを識別するための識別データを、非接触式ＩＣカード１３０へ送信する識別データ送信部を有し、非接触式ＩＣカード１３０は、携帯電話１１０ａから送信された識別データを受信する識別データ受信部と、識別データ受信部が受信した識別データによって識別される携帯電話１１０ａが、電話帳データ２２０の読み出しを許可する携帯電話として予め登録された携帯電話であるか否かを判定する携帯電話判定部と、識別データ受信部が受信した識別データによって識別される携帯電話が、電話帳データ２２０の読み出しを許可する携帯電話として予め登録された携帯電話であると携帯電話判定部が判定した場合に、電話帳データ２２０を、携帯電話１１０ａへ送信する電話帳データ送信部とを有する。【選択図】図４
2012065217.tif 000002
【特許請求の範囲】
【請求項１】
電話番号が記録された電話帳データを管理する電話帳データ管理システムであって、
前記電話帳データに記録された電話番号へ発信する携帯電話と、
前記電話帳データを記録する非接触式ＩＣカードと
を備え、
前記携帯電話は、
前記電話帳データに記録された電話番号を参照する旨の操作がなされた場合に、当該携帯電話を識別するための識別データを、前記非接触式ＩＣカードへ送信する識別データ送信部
を有し、
前記非接触式ＩＣカードは、
前記携帯電話から送信された識別データを受信する識別データ受信部と、
前記識別データ受信部が受信した識別データによって識別される携帯電話が、前記電話帳データの読み出しを許可する携帯電話として予め登録された携帯電話であるか否かを判定する携帯電話判定部と、
前記識別データ受信部が受信した識別データによって識別される携帯電話が、前記電話帳データの読み出しを許可する携帯電話として予め登録された携帯電話であると前記携帯電話判定部が判定した場合に、前記電話帳データを、前記携帯電話へ送信する電話帳データ送信部と
を有する電話帳データ管理システム。
【請求項２】
前記携帯電話は、
前記ＩＣカードから送信された電話帳データを受信する電話帳データ受信部と、
前記電話帳データ受信部が受信した電話帳データを、一時的に格納する電話帳データ格納部と、
前記電話帳データ格納部に格納されている電話帳データに記録された電話番号へ発信する処理がなされた場合に、当該電話帳データを、前記電話帳データ格納部から消去する電話帳データ消去部と
を更に有する電話帳データ管理システム。
【請求項３】
電話番号が記録された電話帳データに記録された電話番号へ発信する携帯電話であって、
前記電話帳データに記録された電話番号を参照する旨の操作がなされた場合に、当該携帯電話を識別するための識別データを、前記電話帳データを記録する非接触式ＩＣカードへ送信する識別データ送信部
を備える携帯電話。
【請求項４】
電話番号が記録された電話帳データに記録された電話番号へ発信する携帯電話を制御する制御方法であって、
前記電話帳データに記録された電話番号を参照する旨の操作がなされた場合に、当該携帯電話を識別するための識別データを、前記電話帳データを記録する非接触式ＩＣカードへ送信する識別データ送信段階
を備える制御方法。
【請求項５】
電話番号が記録された電話帳データを記録する非接触式ＩＣカードであって、
携帯電話から送信された識別データを受信する識別データ受信部と、
前記識別データ受信部が受信した識別データによって識別される携帯電話が、前記電話帳データの読み出しを許可する携帯電話として予め登録された携帯電話であるか否かを判定する携帯電話判定部と、
前記識別データ受信部が受信した識別データによって識別される携帯電話が、前記電話帳データの読み出しを許可する携帯電話として予め登録された携帯電話であると前記携帯電話判定部が判定した場合に、前記電話帳データを、前記携帯電話へ送信する電話帳データ送信部と
を備えるＩＣカード。
【請求項６】
電話番号が記録された電話帳データを記録する非接触式ＩＣカードを制御する制御方法であって、
携帯電話から送信された識別データを受信する識別データ受信段階と、
前記識別データ受信段階において受信された識別データによって識別される携帯電話が、前記電話帳データの読み出しを許可する携帯電話として予め登録された携帯電話であるか否かを判定する携帯電話判定段階と、
前記識別データ受信段階において受信された識別データによって識別される携帯電話が、前記電話帳データの読み出しを許可する携帯電話として予め登録された携帯電話であると前記携帯電話判定段階において判定された場合に、前記電話帳データを、前記携帯電話へ送信する電話帳データ送信段階と
を備える制御方法。
【発明の詳細な説明】
【技術分野】
【０００１】
本発明は、電話帳データ管理システム、携帯電話、ＩＣカード、及び制御方法に関する。特に、本発明は、電話番号が記録された電話帳データを管理する電話帳データ管理システム、電話番号が記録された電話帳データに記録された電話番号へ発信する携帯電話、電話番号が記録された電話帳データを記録する非接触式ＩＣカード、並びに当該携帯電話、及びＩＣカードを制御する制御方法に関する。
【背景技術】
【０００２】
特許文献１は、携帯電話に搭載可能なＩＣカードと、サーバとが、ネットワークで接続されたシステムであって、サーバは、電話帳データ及びＩＣカードのユーザの電話帳データへのアクセス権の情報を保持する手段と、ＩＣカードに、ＩＣカードを所有するユーザのアクセス権を送信する送信手段を有し、ＩＣカードは、サーバの電話帳データと同一内容の電話帳データと、サーバから受信したユーザのアクセス権を保持する手段と、アクセス権に基づいて、電話帳データの特定データにアクセスする手段とを有する。ＩＣカードは、認証情報を保持する手段と、携帯電話から入力された認証情報とＩＣカードの保持する認証情報とを照合する手段とを有し、ＩＣカードの認証情報と、携帯電話から入力された認証情報とが一致した場合にアクセス権を有効にすることを特徴とする電話帳管理システムである。
【０００３】
特許文献１は、サーバに、電話帳データ及びＩＣカードのユーザの電話帳データへのアクセス権を集中管理し、ユーザが使用するＩＣカードに情報を配信し、ＩＣカードは携帯電話から電話帳データの読み出し要求があるときは、配信のアクセス権に基づき、読み出し可否を決定する特徴を有している。
【先行技術文献】
【特許文献】
【０００４】
【特許文献１】特許第３５６５７４７号公報
【発明の概要】
【発明が解決しようとする課題】
【０００５】
しかし、特許文献１には、以下３点のセキュリティ上の不安が残存する。１つ目は、特許文献１では、ネットワークを経由して自身の管理する電話帳データがサーバにアップロードされる。電話帳データは、一般的に、個人的な連絡先も存在し、個人的な連絡先を含む電話帳データがサーバにアップロードされることとなり、個人的な連絡先をサーバ管理者等、第三者に不正に閲覧されないか、セキュリティ上不安が残る。
【０００６】
２つ目は、特許文献１の携帯電話においては、電話帳データを本体内に保存することを抑制しておらず、携帯電話本体内に電話帳データを保存することができ、ついては携帯電話紛失時において電話帳データが保存されている場合は、電話帳データ流出の可能性がある。
【０００７】
３つ目は、ＩＣカードは、ＳＩＭ（ＳｕｂｓｃｒｉｂｅｒＩｄｅｎｔｉｔｙ Ｍｏｄｕｌｅ）や、ＵＩＭ（Ｕｓｅｒ Ｉｄｅｎｔｉｔｙ Ｍｏｄｕｌｅ）、ＵＳＩＭ（Ｕｎｉｖｅｒｓａｌ Ｓｕｂｓｃｒｉｂｅｒ Ｉｄｅｎｔｉｔｙ Ｍｏｄｕｌｅ）等を想定しており、ＩＣカードは携帯電話に内蔵できる。よって、携帯電話紛失時においてＩＣカードも一緒に紛失することになり、セキュリティ上不安が残る。
【課題を解決するための手段】
【０００８】
上記課題を解決するために、本発明の第１の形態によると、電話番号が記録された電話帳データを管理する電話帳データ管理システムであって、電話帳データに記録された電話番号へ発信する携帯電話と、電話帳データを記録する非接触式ＩＣカードとを備え、携帯電話は、電話帳データに記録された電話番号を参照する旨の操作がなされた場合に、当該携帯電話を識別するための識別データを、非接触式ＩＣカードへ送信する識別データ送信部を有し、非接触式ＩＣカードは、携帯電話から送信された識別データを受信する識別データ受信部と、識別データ受信部が受信した識別データによって識別される携帯電話が、電話帳データの読み出しを許可する携帯電話として予め登録された携帯電話であるか否かを判定する携帯電話判定部と、識別データ受信部が受信した識別データによって識別される携帯電話が、電話帳データの読み出しを許可する携帯電話として予め登録された携帯電話であると携帯電話判定部が判定した場合に、電話帳データを、携帯電話へ送信する電話帳データ送信部とを有する。
【０００９】
電話番号が記録された電話帳データに記録された電話番号へ発信する携帯電話であって、電話帳データに記録された電話番号を参照する旨の操作がなされた場合に、当該携帯電話を識別するための識別データを、電話帳データを記録する非接触式ＩＣカードへ送信する識別データ送信部を備える。
【００１０】
電話番号が記録された電話帳データに記録された電話番号へ発信する携帯電話を制御する制御方法であって、電話帳データに記録された電話番号を参照する旨の操作がなされた場合に、当該携帯電話を識別するための識別データを、電話帳データを記録する非接触式ＩＣカードへ送信する識別データ送信段階を備える。
【００１１】
電話番号が記録された電話帳データを記録する非接触式ＩＣカードであって、携帯電話から送信された識別データを受信する識別データ受信部と、識別データ受信部が受信した識別データによって識別される携帯電話が、電話帳データの読み出しを許可する携帯電話として予め登録された携帯電話であるか否かを判定する携帯電話判定部と、識別データ受信部が受信した識別データによって識別される携帯電話が、電話帳データの読み出しを許可する携帯電話として予め登録された携帯電話であると携帯電話判定部が判定した場合に、電話帳データを、携帯電話へ送信する電話帳データ送信部とを備える。
【００１２】
電話番号が記録された電話帳データを記録する非接触式ＩＣカードを制御する制御方法であって、携帯電話から送信された識別データを受信する識別データ受信段階と、識別データ受信段階において受信された識別データによって識別される携帯電話が、電話帳データの読み出しを許可する携帯電話として予め登録された携帯電話であるか否かを判定する携帯電話判定段階と、識別データ受信段階において受信された識別データによって識別される携帯電話が、電話帳データの読み出しを許可する携帯電話として予め登録された携帯電話であると携帯電話判定段階において判定された場合に、電話帳データを、携帯電話へ送信する電話帳データ送信段階とを備える。
【００１３】
なおまた、上記のように発明の概要は、本発明の必要な特徴の全てを列挙したものではなく、これらの特徴群のサブコンビネーションもまた、発明となり得る。
【発明の効果】
【００１４】
以上の説明から明らかなように、この発明においては、特定の携帯電話に対してのみ、非接触式ＩＣカード内部に保持する電話帳データを非接触通信方式で開示し、使用を許可することができる。
【図面の簡単な説明】
【００１５】
【図１】携帯電話１１０のブロック構成の一例を示す図である。
【図２】携帯電話１１０の非接触式ＩＣカードリーダ／ライタ処理部１２０を中心としたシステム構成の一例を示す図である。
【図３】非接触式ＩＣカード１３０内のメモリ部１３３の構成の一例を示す図である。
【図４】電話帳データ管理システム１００の利用環境の一例を示す図である。
【図５】非接触式ＩＣカード１３０から電話帳データを読み出し、電話発信する時の、本携帯電話１１０のフローチャートの一例を示す図である。
【図６】本携帯電話１１０が、非接触式ＩＣカード１３０から電話帳データを読み出す時の、シーケンスの一例を示す図である。
【発明を実施するための形態】
【００１６】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１７】
図１は、携帯電話１１０のブロック構成の一例を示す。携帯電話１１０は、無線回線を使用して送受信するための無線部１１１と、予めＲＯＭ部１９に書き込まれたプログラムにより携帯電話１１０を動作させるための制御部１１２と、各種メッセージ情報やユーザデータを表示するためのＬＣＤ部１１３と、情報や各種指示を入力するためのキー入力部１１４と、各種通知音パターンを有し携帯電話１１０の状態を、その通知音で利用者に通知するためのスピーカー部１１５と、利用者の音声が入力されるマイク部１１６と、制御部１１２が各種動作を行う際の作業用データを一時格納するためのＲＡＭ部１１７と、制御部１１２が動作するための携帯電話１１０のプログラムが予め書き込まれており、通常の利用者の操作では書き換えが不可能であるＲＯＭ部１１８と、非接触式ＩＣカードリーダ／ライタ処理部１２０より構成される。
【００１８】
図２は、携帯電話１１０の非接触式ＩＣカードリーダ／ライタ処理部１２０を中心としたシステム構成の一例を示す。非接触式ＩＣカードリーダ／ライタ処理部１２０は、非接触式ＩＣカードリーダ／ライタ機能を実現するための部位である。非接触式ＩＣカードリーダ／ライタ機能とは、非接触式ＩＣカードリーダ／ライタ処理部１２０内部に専用の通信機能を有し、電話１１０の各部１１１〜１１８とは独立して処理部１２０と非接触式ＩＣカード１３０との間で、非接触方式で通信し、非接触式ＩＣカード１３０に対して情報を読み書きする機能である。
【００１９】
非接触式ＩＣカードリーダ／ライタ処理部１２０は、非接触式ＩＣカード１３０と通信するための送受信部１２１と、一連の処理を実行する通信制御部１２２より構成される。非接触式ＩＣカードリーダ／ライタ処理部１２０の通信制御部１２２は、携帯電話１１０の制御部１１２と接続されており、携帯電話１１０上で実現する各種機能から、非接触式ＩＣカードリーダ／ライタ処理部１２０の通信制御部１２２経由にて、送受信部１２１を制御できる。
【００２０】
非接触式ＩＣカード１３０は、非接触式ＩＣカードリーダ／ライタと非接触方式で通信する専用のＩＣカードであり、非接触式ＩＣカードリーダ／ライタと通信するための送受信部１３１と、非接触式ＩＣカード１３０内で一連の処理を実行する通信制御部１３２と、非接触式ＩＣカードリーダ／ライタからの要求でデータ書き込み（あるいは、読み出し）を行うデータを読み出すメモリ部１３３より構成される。
【００２１】
図３は、非接触式ＩＣカード１３０内のメモリ部１３３の構成の一例を示す。メモリ部１３３は、課金情報を扱う課金領域２１０と、携帯電話１１０で利用するユーザデータを扱うユーザデータ領域２２０より構成される。課金領域２１０とユーザデータ領域２２０に対して扱うことのできる非接触式ＩＣカードリーダ／ライタは異なり、すなわち、課金領域２１０向けの課金情報を扱う非接触式ＩＣカードリーダ／ライタは、ユーザデータ領域２２０向けのユーザデータを読み書きすることはできず、その逆も然りである。携帯電話１１０は、ユーザデータ（ユーザデータ領域２２０）のみ扱え、課金情報（課金領域２１０）は扱えないものとする。そして、ユーザデータ領域２２０は、ユーザデータ領域２２０にアクセスを許容する携帯電話１１０の個体を識別する携帯電話識別領域２１１と、アクセスを許容された携帯電話１１０のみ電話帳データの読み書きを可能とする電話帳データ管理領域２１２に分けられる。すなわち、同じ携帯電話１１０においても、携帯電話識別領域２１１に登録された製造番号の携帯電話１１０のみが電話帳データの読み書きを可能とし、未登録の製造番号の携帯電話１１０は電話帳データの読み書きは行えない。
【００２２】
図４は、電話帳データ管理システム１００の利用環境の一例を示す。電話帳データ管理システム１００は、図１で説明した携帯電話１１０と、図２及び図３で説明した非接触式ＩＣカード１３０より構成される。また、本発明には直接関係しないが、理解を助ける目的で、決済用非接触式ＩＣカード用リーダ／ライタ１５０も記載する。
【００２３】
携帯電話１１０ａと、携帯電話１１０ｂは、同一仕様の製品だが、製造番号が異なる別の装置である。一方、非接触式ＩＣカード１３０のユーザデータ領域２２０においては、通信先の携帯電話識別領域２１１に携帯電話１１０ａの製造番号が定義されている。従って、前述したとおり、非接触式ＩＣカード１３０のユーザデータ領域２２０に対しては、携帯電話識別領域２１１に定義された製造番号と一致している携帯電話１１０ａのみが非接触方式で通信が行え、携帯電話１１０ｂは通信が行えない。
【００２４】
一方、非接触式ＩＣカード１３０のメモリ部１３３において、決済用非接触式ＩＣカード用リーダ／ライタ１５０からの通信が生じた場合、課金用途で使用する課金領域２１０に対しては通信を行えるが、ユーザデータ領域２２０に対しては（制限されているため）通信が行えない。
【００２５】
携帯電話１１０が提供する機能は、無線通信回線経由の音声通話機能、インターネットと相互接続された無線回線経由にて電子メールが送受信可能な機能、非接触通信方式を提供する非接触式ＩＣカードリーダ／ライタ機能の３種類の機能を有するものを想定する。これらの機能や通信手順（プロトコル）については特に言及せず、いずれも既知の技術が用いられるものとする。
【００２６】
ここでは利用者が、携帯電話１１０と非接触式ＩＣカード１３０を用いて、任意の相手先に電話発信を行うときの、携帯電話１１０及び非接触式ＩＣカード１３０の動作の一例を、図５、図６を使って説明する。
【００２７】
図５は、非接触式ＩＣカード１３０から電話帳データを読み出し、電話発信する時の、携帯電話１１０のフローチャートの一例である。携帯電話１１０は、待ちうけ状態である。（Ｓ１０１）利用者は、電話発信を始めるため、携帯電話１１０のキー入力部１１４を操作して、オフフック操作をする。この操作は、通常の電話機操作と同様である（Ｓ１０２）。
【００２８】
その後、スピーカー部１１５よりダイヤルトーンが鳴動し、利用者はトーンを確認した後に、相手先に対して発信するための発信方法を決定する、具体的には、ダイヤルを直接入力するか、電話帳から選択するかを決定する。ここでは、電話帳から選択する方法とする。この操作も、通常の電話機操作と同様である（Ｓ１０３：電話帳）。
【００２９】
通常の電話機操作では、利用者は電話帳機能を起動すると、携帯電話内に登録済みの電話帳データを表示する。しかし、本発明においては、携帯電話１１０内部に電話帳データが存在しないため、外部の非接触式ＩＣカード１３０より電話帳データを読み込む必要がある。つまり、利用者が電話帳機能を起動した後に、携帯電話１１０内において非接触式ＩＣカードリーダ／ライタ処理部１２０が起動する。その後、ＬＣＤ部１１３上に「ＩＣカードを携帯電話１１０に、かざす」旨の表示をし、利用者へ、非接触式ＩＣカード１３０を携帯電話１１０に通信可能な距離まで近づける動作を促す（Ｓ１０４）。
【００３０】
ＬＣＤ部１１３上の表示を確認した利用者は、非接触式ＩＣカードリーダ／ライタ処理部１２０と非接触式ＩＣカード１３０が通信できるように、携帯電話１１０に非接触式ＩＣカード１３０をかざす（Ｓ１０５）。
【００３１】
携帯電話１１０と非接触式ＩＣカード１３０が、通信可能な距離になったら、電話１１０内部の非接触式ＩＣカードリーダ／ライタ処理部１２０とカード１３０が、非接触方式にて、通信を開始する（Ｓ１０６）。
【００３２】
処理部１２０とカード１３０が接続できた後、処理部１２０は、カード１３０のメモリ部２２のユーザデータ領域２２０内の電話帳データ管理領域２１２より、電話帳データを読み出す（Ｓ１０７）。
【００３３】
読み出された電話帳データは、ＲＡＭ部１８に一時的に蓄積された後、ＬＣＤ部１１３上に表示され、利用者は携帯電話１１０のキー入力部１１４を操作して、通話を希望する電話発信先を選択、決定する（Ｓ１０８）。
【００３４】
携帯電話１１０は、決定された電話発信先に対して接続し、接続完了後、（非接触式ＩＣカードリーダ／ライタ処理部１２０と）非接触式ＩＣカード１３０との通信を終了し、引き続きリーダ／ライタ処理部１２０を停止する（Ｓ１０９〜Ｓ１１０）。
【００３５】
その後、携帯電話１１０は、ＲＡＭ部１８から、Ｓ１０７で読み出した電話帳データを、消去する（Ｓ１１１）。そして、利用者は、携帯電話１１０を使って、接続した相手先と通話する（Ｓ１１２）。
【００３６】
ちなみに、Ｓ１０３において、利用者はダイヤル入力を選択したならば（Ｓ１０３：ダイヤル）、利用者は携帯電話１１０のキー入力部１１４上でダイヤル入力し（Ｓ１１３）、続いて携帯電話１１０は入力されたダイヤル情報に基づき接続し（Ｓ１１４）、同様に接続した相手先と通話するが（Ｓ１１２）、この操作は通常の電話機操作と同様となる。
【００３７】
この動作により、利用者は、携帯電話１１０及び非接触式ＩＣカード１３０を使い、携帯電話１１０内に電話帳データを保持していなくとも、非接触式ＩＣカード１３０内に保持された電話帳データを非接触方式で読み出し、そのデータより選択することで、通話することが可能である。
【００３８】
図６は、携帯電話１１０が、非接触式ＩＣカード１３０から電話帳データを読み出す時の、シーケンスの一例である。続いて、図５のＳ１０５〜Ｓ１０７で、携帯電話１１０内の非接触式ＩＣカードリーダ／ライタ処理部１２０が非接触式ＩＣカード１３０から電話帳データを読み出すが、そのシーケンス例を、図６を使い、説明する。
【００３９】
携帯電話１１０において、非接触式ＩＣカードリーダ／ライタ処理部１２０が起動した後に、利用者により、携帯電話１１０の非接触式ＩＣカードリーダ／ライタ処理部１２０と、非接触式ＩＣカード１３０が通信可能な距離まで、近づけられたとき、非接触式ＩＣカードリーダ／ライタ処理部１２０よりＩＣカード１３０へ、非接触通信により接続要求が送出される（Ｓ２０１）。
【００４０】
その後、ＩＣカード１３０より、非接触式ＩＣカードリーダ／ライタ処理部１２０に対して、接続応答が送出される（Ｓ２０２）。そして、非接触式ＩＣカードリーダ／ライタ処理部１２０よりＩＣカード１３０へ、携帯電話１１０の製造番号を送出する（Ｓ２０３）。
【００４１】
ＩＣカード１３０は、受信した、携帯電話１１０の製造番号を、メモリ部２２のユーザデータ領域２２０の携帯電話識別領域２１１に予め記録されている製造番号と照合する。
【００４２】
照合の結果、一致したならば（Ｓ２０４：一致）、ユーザデータ領域２２０の電話帳データ管理領域２１２より電話帳データを送信する（Ｓ２０５）。不一致ならば（Ｓ２０４：不一致）、ＩＣカード１３０は、携帯電話１１０との通信を終了する（Ｓ２０６）。
【００４３】
この動作により、ＩＣカード１３０は、特定の相手のみに、メモリ部２２に記録されている電話帳データを、非接触通信方式で開示することができる。
【００４４】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４５】
１１０  携帯電話
１１１  無線部
１１２  制御部
１１３  ＬＣＤ部
１１４  キー入力部
１１５  スピーカー部
１１６  マイク部
１１７  ＲＡＭ部
１１８  ＲＯＭ部
１２０  非接触式ＩＣカードリーダ／ライタ処理部
１２１  送受信部
１２２  通信制御部
１３０  非接触式ＩＣカード
１３１  送受信部
１３２  通信制御部
１３３  メモリ部
【図１】
2012065217.tif 000003
【図２】
2012065217.tif 000004
【図３】
2012065217.tif 000005
【図４】
2012065217.tif 000006
【図５】
2012065217.tif 000007
【図６】
2012065217.tif 000008